(57)【要約】  本開示の態様は、ワイヤレスデバイスによって行われる方法を提供する。方法は、一般に、システム帯域幅における利用可能なリソースの量に基づいて、より広いシステム帯域幅内の１つまたは複数の狭帯域領域を識別すること、および識別された狭帯域領域のうちの少なくとも１つを使用して通信することを含む。【選択図】図６
2018520551.tif 000002
【特許請求の範囲】
【請求項１】
ワイヤレスデバイスによるワイヤレス通信のための方法であって、
システム帯域幅における利用可能なリソースの量に基づいて、より広い前記システム帯域幅内の１つまたは複数の狭帯域領域を識別することと、および、
前記識別された狭帯域領域のうちの少なくとも１つを使用して通信することと、
を備える、方法。
【請求項２】
前記識別することは、
狭帯域領域の第１のセットを識別することと、および、
各々が前記第１のセットの前記狭帯域領域より少ないリソースブロックを備える、狭帯域領域の第２のセットを識別することと、
を備える、請求項１に記載の方法。
【請求項３】
狭帯域領域の前記第１のセットの各狭帯域領域は、少なくとも６つのリソースブロックを備える、請求項２に記載の方法。
【請求項４】
狭帯域領域の前記第１のセットの各狭帯域領域は、リソースブロックと整列される、および、
狭帯域領域の前記第２のセットの各狭帯域領域は、異なる数のリソースブロックを備える、
請求項２に記載の方法。
【請求項５】
狭帯域領域の前記第１のセットは、前記システム帯域幅のセンターに位置する第２の狭帯域領域と隣接する、請求項４に記載の方法。
【請求項６】
狭帯域領域の前記第２のセットを識別することは、
狭帯域領域の前記第２のセットに割り振られたリソースブロックの合計数を識別することと、および、
割り振られたリソースブロックの前記合計数に基づいて、狭帯域領域の前記第２のセットのうちの少なくとも１つの位置を決定することと、
を備える、請求項２に記載の方法。
【請求項７】
狭帯域領域の前記第２のセットのうちの前記少なくとも１つの位置を前記決定することは、
割り振られたリソースブロックの前記合計数が奇数であることを決定することと、および、
狭帯域領域の前記第２のセットの第１および第２の狭帯域領域を識別することと、ここにおいて、前記第１および第２の狭帯域領域は、狭帯域領域の前記第２のセットに関して割り振られたリソースブロックの前記合計数より少なく備える、
を備える、請求項６に記載の方法。
【請求項８】
狭帯域領域の前記第２のセットの第３の狭帯域領域を識別すること、ここにおいて、前記第１、第２、および第３の狭帯域領域は、狭帯域領域の前記第２のセットに関して割り振られたリソースブロックの前記合計数と等しいリソースブロックの数を備える、
をさらに備える、請求項７に記載の方法。
【請求項９】
前記第３の狭帯域領域は、前記システム帯域幅のセンターリソースブロックを少なくとも備え、前記第１および第２の狭帯域領域は、システム帯域幅の端に位置する、請求項８に記載の方法。
【請求項１０】
前記識別することは、ホッピングパターンにしたがって、異なるサブフレームにおける狭帯域領域を識別することを備える、請求項１に記載の方法。
【請求項１１】
前記ホッピングパターンを指示するシグナリングを受信することまたは送信することをさらに備える、請求項１０に記載の方法。
【請求項１２】
前記ホッピングパターンは、当初の狭帯域領域の識別に少なくとも基づく、請求項１０に記載の方法。
【請求項１３】
前記識別することは、ホッピングパターンに基づいて、アップリンクおよびダウンリンクサブフレームにおける狭帯域領域を識別することを備える、請求項１に記載の方法。
【請求項１４】
アップリンクおよびダウンリンク狭帯域との間の前記ホッピングパターンを指示するシグナリングを受信することまたは送信することをさらに備える、請求項１３に記載の方法。
【請求項１５】
ダウンリンク狭帯域領域の識別に少なくとも基づいて、アップリンク狭帯域領域において通信することをさらに備える、請求項１３に記載の方法。
【請求項１６】
ダウンリンク狭帯域領域の識別に少なくとも基づいて、ダウンリンク狭帯域領域において通信することをさらに備える、請求項１３に記載の方法。
【請求項１７】
アップリンク狭帯域領域の識別に少なくとも基づいて、ダウンリンク狭帯域領域において通信することをさらに備える、請求項１３に記載の方法。
【請求項１８】
前記ワイヤレスデバイスは、ユーザ機器または基地局のうちの１つを備える、請求項１に記載の方法。
【請求項１９】
ワイヤレス通信のための装置であって、
少なくとも１つのプロセッサと、前記少なくとも１つのプロセッサは、
システム帯域幅における利用可能なリソースの量に基づいて、より広い前記システム帯域幅内の１つまたは複数の狭帯域領域を識別することと、および、
前記識別された狭帯域領域のうちの少なくとも１つを使用して通信することと、
を行うように構成される、および、
前記少なくとも１つのプロセッサに結合されたメモリと、
を備える、装置。
【請求項２０】
ワイヤレス通信のための装置であって、
システム帯域幅における利用可能なリソースの量に基づいて、より広い前記システム帯域幅内の１つまたは複数の狭帯域領域を識別するための手段と、および、
前記識別された狭帯域領域のうちの少なくとも１つを使用して通信するための手段と、
を備える、装置。
【請求項２１】
ワイヤレス通信のためのコンピュータ可読媒体であって、
システム帯域幅における利用可能なリソースの量に基づいて、より広い前記システム帯域幅内の１つまたは複数の狭帯域領域を識別するためのコードと、および、
前記識別された狭帯域領域のうちの少なくとも１つを使用して通信するためのコードと、
を備える、コンピュータ可読媒体。
【発明の詳細な説明】
【関連出願への相互参照】
【０００１】
[0001]本願は、２０１５年５月１５日に出願された米国仮特許出願第６２／１６２，６２３号の利益を主張する、２０１６年３月１０日に出願された米国特許出願第１５／０６７，０２９号の優先権を主張し、それは、その全体における参照によって本明細書に明示的に組み込まれる。
【背景技術】
【０００２】
Ｉ．技術分野
[0002]本開示のある態様は、一般に、ワイヤレス通信に関し、より具体的には、進歩したマシン型通信（複数を含む）（ｅＭＴＣ）のための狭帯域定義に関する。
ＩＩ．背景技術
[0003]ワイヤレス通信システムは、音声、データ、等のような様々なタイプの通信コンテンツ（content）を提供するために幅広く展開される。これらのシステムは、利用可能なシステムリソース（例えば、帯域幅および送信電力）を共有することによってマルチプルなユーザとの通信をサポートすることができる多元接続システムであることができる。そのような多元接続システムの例は、符号分割多元接続（ＣＤＭＡ）システム、時分割多元接続（ＴＤＭＡ）システム、周波数分割多元接続（ＦＤＭＡ）システム、第３世代パートナーシッププロジェクト（３ＧＰＰ（登録商標））ロングタームエボリューション（ＬＴＥ（登録商標））／ＬＴＥアドバンスドシステム、および直交周波数分割多元接続（ＯＦＤＭＡ）システムを含む。
【０００３】
[0004]一般に、ワイヤレス多元接続通信システムは、マルチプルなワイヤレス端末のための通信を同時にサポートすることができる。各端末は、順方向および逆方向リンク上の送信を介して１つまたは複数の基地局と通信する。順方向リンク（またはダウンリンク）は、基地局から端末までの通信リンクを指し、および逆方向リンク（またはアップリンク）は、端末から基地局までの通信リンクを指す。この通信リンクは、単一入力単一出力、マルチプル入力単一出力、またはマルチプル入力マルチプル出力（ＭＩＭＯ）システムを介して確立されうる。
【０００４】
[0005]ワイヤレス通信ネットワークは、多数のワイヤレスデバイスのための通信をサポートすることができる多数の基地局を含みうる。ワイヤレスデバイスは、ユーザ機器（ＵＥ）を含みうる。いくつかのＵＥは、基地局、別のデバイス（例えば、遠隔デバイス）、またはいくつかの他のエンティティと通信しうる、進歩したまたは発展したマシン型通信（ｅＭＴＣ）ＵＥであると考えられうる。ＭＴＣは、通信の少なくとも一端上の少なくとも１つの遠隔デバイスを含む（involving）通信を指し得、および人間の関与（human interaction）を必ずしも必要としない１つまたは複数のエンティティを含む、データ通信の形式を含みうる。ＭＴＣ ＵＥは、例えば、公衆地上モバイルネットワーク（ＰＬＭＮ：Public Land Mobile Networks）を通じたＭＴＣサーバおよび／または他のＭＴＣデバイスとのＭＴＣ通信をすることができるＵＥを含みうる。
【発明の概要】
【０００５】
[0006]本開示のある態様は、ワイヤレスデバイスによって行われる、方法を提供する。方法は、一般に、システム帯域幅における利用可能なリソースの量に基づいて、より広いシステム帯域幅内の１つまたは複数の狭帯域領域を識別すること、および識別された狭帯域領域のうちの少なくとも１つを使用して通信することを含む。
【０００６】
[0007]本開示のある態様は、ワイヤレス通信のための装置を提供する。装置は、一般に、システム帯域幅における利用可能なリソースの量に基づいて、より広いシステム帯域幅内の１つまたは複数の狭帯域領域を識別すること、および識別された狭帯域領域のうちの少なくとも１つを使用して通信すること、を行うように構成される少なくとも１つのプロセッサと、少なくとも１つのプロセッサに結合されたメモリとを含む。
【０００７】
[0008]本開示のある態様は、ワイヤレス通信のための装置を提供する。装置は、一般に、システム帯域幅における利用可能なリソースの量に基づいて、より広いシステム帯域幅内の１つまたは複数の狭帯域領域を識別するための手段、および識別された狭帯域領域のうちの少なくとも１つを使用して通信するための手段を含む。
【０００８】
[0009]本開示のある態様は、ワイヤレス通信のためのコンピュータ可読媒体を提供する。コンピュータ可読媒体は、一般に、システム帯域幅における利用可能なリソースの量に基づいて、より広いシステム帯域幅内の１つまたは複数の狭帯域領域を識別するためのコード、および識別された狭帯域領域のうちの少なくとも１つを使用して通信するためのコードを含む。
【０００９】
[0010]方法、装置、システム、コンピュータプログラム製品、および処理システムを含む、数多くの他の態様が提供される。前述のおよび関連する目的の達成のために、１つまたは複数の態様は、明細書において後に十分に記述され、および特許請求の範囲において特に指摘される特徴を備える。以下に続く記述および添付された図面は、１つまたは複数の態様の、ある図示する特徴を詳細に記載する。しかしながら、これらの特徴は、様々な態様の原理が用いられうる様々な手法のほんの一部を指示するものであり、この記述は、全てのそのような態様およびそれらの均等物を含むように意図される。
【図面の簡単な説明】
【００１０】
【図１】[0011]図１は、本開示のある態様にしたがった、ワイヤレス通信ネットワークの例を概念的に図示するブロック図である。
【図２】[0012]図２は、本開示のある態様にしたがった、ワイヤレス通信ネットワークにおけるユーザ機器（ＵＥ）と通信する基地局の例を概念的に図示するブロック図を示す。
【図３】[0013]図３は、本開示のある態様にしたがった、ワイヤレス通信ネットワークにおけるフレーム構造の例を概念的に例示するブロック図である。
【図４】[0014]図４は、標準のサイクリックプレフィックス（cyclic prefix）をもつ２つの例示的なサブフレームフォーマットを概念的に図示するブロック図である。
【図５】[0015]図５は、本開示のある態様にしたがった、ｅＭＴＣのための例示的なサブフレーム構成を図示する。
【図６】[0016]図６は、本開示のある態様にしたがった、ワイヤレスデバイスによるワイヤレス通信のための例となるオペレーションを図示するフロー図である。
【図７】[0017]図７は、本開示のある態様にしたがった、ｅＭＴＣオペレーションのための例示的なリソースブロック構成を図示する。
【図８Ａ】[0018]図８Ａは、本開示のある態様にしたがった、例となる狭帯域領域定義を図示する。
【図８Ｂ】[0018]図８Ｂは、本開示のある態様にしたがった、例となる狭帯域領域定義を図示する。
【図８Ｃ】[0018]図８Ｃは、本開示のある態様にしたがった、例となる狭帯域領域定義を図示する。
【図９Ａ】[0019]図９Ａは、本開示のある態様にしたがった、例となる狭帯域領域定義を図示する。
【図９Ｂ】[0019]図９Ｂは、本開示のある態様にしたがった、例となる狭帯域領域定義を図示する。
【図９Ｃ】[0019]図９Ｃは、本開示のある態様にしたがった、例となる狭帯域領域定義を図示する。
【発明を実施するための形態】
【００１１】
[0020]本開示の態様は、ワイヤレスデバイスによって行われる、進歩したマシン型通信（ｅＭＴＣ）のための狭帯域領域を定めるために使用されうる技法を提供する。
【００１２】
[0021]本明細書において記述される技法は、ＣＤＭＡ、ＴＤＭＡ、ＦＤＭＡ、ＯＦＤＭＡ、ＳＣ−ＦＤＭＡ、および他のネットワークのような様々なワイヤレス通信ネットワークのために使用されうる。「ネットワーク」および「システム」という用語は、しばしば互換的に使用される。ＣＤＭＡネットワークは、ユニバーサル地上無線アクセス（ＵＴＲＡ）、ｃｄｍａ２０００等のような無線技術を実装（implement）しうる。ＵＴＲＡは、広帯域ＣＤＭＡ（ＷＣＤＭＡ（登録商標））、時分割同期ＣＤＭＡ（ＴＤ−ＳＣＤＭＡ）、およびＣＤＭＡの他の変形を含む。ｃｄｍａ２０００は、ＩＳ−２０００、ＩＳ−９５、およびＩＳ−８５６規格をカバーする。ＴＤＭＡネットワークは、移動通信のためのグローバルシステム（ＧＳＭ（登録商標））のような無線技術を実装しうる。ＯＦＤＭＡネットワークは、発展したＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、フラッシュ−ＯＦＤＭ（登録商標）等のような無線技術を実装しうる。ＵＴＲＡおよびＥ−ＵＴＲＡは、ユニバーサルモバイル電気通信システム（ＵＭＴＳ）の一部である。周波数分割複信（ＦＤＤ）および時分割複信（ＴＤＤ）の両方において、３ＧＰＰロングタームエボリューション（ＬＴＥ）およびＬＴＥ−アドバンスド（ＬＴＥ−Ａ）は、Ｅ−ＵＴＲＡを使用するＵＭＴＳの新たなリリースであり、それはダウンリンク上でＯＦＤＭＡを、およびアップリンク上でＳＣ−ＦＤＭＡを用いる。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）と名付けられた団体からの文書において記述される。ｃｄｍａ２０００およびＵＭＢは、「第３世代パートナーシッププロジェクト２」（３ＧＰＰ２）と名付けられた団体からの文書において記述される。本明細書において記述される技法は、上述された無線技術およびワイヤレスネットワークのみならず、他のワイヤレスネットワークおよび無線技術のために使用されうる。明瞭さのために、本技法のある態様は、ＬＴＥ／ＬＴＥ‐アドバンスドに関して下記で記述されており、およびＬＴＥ／ＬＴＥ‐アドバンスド専門用語が下記の記述の大部分において使用される。ＬＴＥおよびＬＴＥ−Ａは、概して、ＬＴＥと称される。
【００１３】
[0022]図１は、本開示の態様が実施されうる、例となるワイヤレス通信ネットワーク１００を図示する。例えば、本明細書において提示される技法は、ワイヤレスデバイスによって行われる、進歩したマシン型通信（ｅＭＴＣ）のための狭帯域領域を定めることを支援するために使用されうる。
【００１４】
[0023]ネットワーク１００は、ＬＴＥネットワークまたは何らかの他のワイヤレスネットワークであることができる。ワイヤレスネットワーク１００は、多数の発展したノードＢ（ｅＮＢ）１１０および他のネットワークエンティティを含みうる。ｅＮＢは、ユーザ機器（ＵＥ）と通信するエンティティであり、および基地局、ノードＢ、アクセスポイント等とも称されうる。各ｅＮＢは、特定の地理的エリアに関する通信カバレッジを提供しうる。３ＧＰＰにおいて、「セル」という用語は、用語が使用されるコンテキスト（context）に依存して、ｅＮＢのカバレッジエリアおよび／またはこのカバレッジエリアをサービスする（serving）ｅＮＢサブシステムを指すことができる。
【００１５】
[0024]ｅＮＢは、マクロセル、ピコセル、フェムトセル、および／または他のタイプのセルに関する通信カバレッジを提供しうる。マクロセルは、比較的大きい地理的エリア（例えば、半径数キロメートル）をカバーし得、およびサービスに加入しているＵＥによる無制限のアクセスを可能にしうる。ピコセルは、比較的小さい地理的エリアをカバーし得、およびサービスに加入しているＵＥによる無制限のアクセスを可能にしうる。フェムトセルは、比較的小さい地理的エリア（例えば、ホーム）をカバーし得、およびフェムトセルとのアソシエーションを有するＵＥ（例えば、クローズド加入者グループ（ＣＳＧ：closed subscriber group）におけるＵＥ）による制限付きのアクセスを可能にしうる。マクロセルのためのｅＮＢは、マクロｅＮＢと称されうる。ピコセルのためのｅＮＢは、ピコｅＮＢと称されうる。フェムトセルのためのｅＮＢは、フェムトｅＮＢまたはホームｅＮＢ（ＨｅＮＢ）と称されうる。図１において示される例では、ｅＮＢ１１０ａは、マクロセル１０２ａのためのマクロｅＮＢであることができ、ｅＮＢ１１０ｂは、ピコセル１０２ｂのためのピコｅＮＢであることができ、およびｅＮＢ１１０ｃは、フェムトセル１０２ｃのためのフェムトｅＮＢであることができる。ｅＮＢは、１つまたはマルチプル（例えば、３つ）のセルをサポートしうる。「ｅＮＢ」、「基地局」および「セル」の用語は、本明細書において互換的に使用されうる。
【００１６】
[0025]ワイヤレスネットワーク１００はまた、中継局（relay station）を含みうる。中継局は、アップストリームステーション（例えば、ｅＮＢまたはＵＥ）からデータの送信を受信し、ダウンストリームステーション（例えば、ＵＥまたはｅＮＢ）にデータの送信を送ることができるエンティティである。中継局はまた、他のＵＥのための送信を中継することができるＵＥであることができる。図１において示される例において、中継局１１０ｄは、ｅＮＢ１１０ａおよびＵＥ１２０ｄとの間の通信を容易にするために、マクロｅＮＢ１１０ａおよびＵＥ１２０ｄと通信しうる。中継局はまた、中継ｅＮＢ、中継基地局、リレー（relay）、等と称されうる。
【００１７】
[0026]ワイヤレスネットワーク１００は、異なるタイプのｅＮＢ、例えば、マクロｅＮＢ、ピコｅＮＢ、フェムトｅＮＢ、中継ｅＮＢ、等を含む異種（heterogeneous）ネットワークであることができる。これらの異なるタイプのｅＮＢは、ワイヤレスネットワーク１００において、干渉時に異なる影響、異なるカバレッジエリア、異なる送信電力レベルを有しうる。例えば、マクロｅＮＢは、高い送信電力レベル（例えば、５から４０ワット）を有しうる一方、ピコｅＮＢ、フェムトｅＮＢ、および中継ｅＮＢは、より低い送信電力レベル（例えば、０．１から２ワット）を有しうる。
【００１８】
[0027]ネットワークコントローラ１３０は、ｅＮＢのセットに結合し得、およびこれらのｅＮＢのために制御および調整（coordination）を提供しうる。ネットワークコントローラ１３０は、バックホールを介してｅＮＢと通信しうる。ｅＮＢはまた、例えば、ワイヤレスまたはワイヤーラインバックホール（wireline backhaul）を介して、間接的にまたは直接的に互いに通信しうる。
【００１９】
[0028]ＵＥ１２０（例えば、１２０ａ、１２０ｂ、１２０ｃ）は、ワイヤレスネットワーク１００全体を通じて分散され得、および各ＵＥは、固定式または移動式であることができる。ＵＥはまた、アクセス端末、端末、移動局、加入者ユニット、局、等と称されうる。ＵＥのいくつかの例は、セルラ電話、スマートフォン、パーソナルデジタルアシスタント（ＰＤＡ）、ワイヤレスモデム、手持ち式デバイス、タブレット、ラップトップ型コンピュータ、ネットブック（netbook）、スマートブック（smartbook）、ウルトラブック（ultrabook）、娯楽デバイス（例えば、ゲーム用（gaming device）、音楽プレイヤ）、ナビゲーションデバイス（navigation device）、カメラ、ウェアラブルデバイス（wearable device）（例えば、スマートウオッチ（smart watch）、スマート衣料、スマート眼鏡（smart glasses）、スマートゴーグル（smart goggles）、ヘッドアップディスプレイデバイス、スマート手首バンド（smart wrist band）、スマートジュエリー（smart jewelry）（例えば、スマートリング（smart ring）、スマートブレスレット（smart bracelet））、医療デバイス、ヘルスケアデバイス、車両デバイス（vehicular device）、等を含みうる。ＭＴＣ ＵＥは、センサ、メータ、モニタ、セキュリティデバイス、ロケーションタグ（location tags）、ロボット／ロボットによるデバイス（robotic devices）、ドローン、等を含みうる。いくつかのＭＴＣ ＵＥ、および他のＵＥは、モノのインターネット（ＩｏＴ）（例えば、狭帯域ＩｏＴ（ＮＢ−ＩｏＴ））またはすべてのインターネット（ＩｏＥ）デバイスとして実装されうる。図１において、両矢印付きの実線は、ＵＥおよびサービングｅＮＢとの間の望まれる送信を指示し、それは、ダウンリンクおよび／またはアップリンク上のＵＥにサービスするように指定されたｅＮＢである。両矢印付きの点線は、ＵＥおよびｅＮＢとの間の潜在的に干渉する送信を指示する。
【００２０】
[0029]図２は、基地局／ｅＮＢ１１０およびＵＥ１２０の設計のブロック図を示し、それらは、図１におけるＵＥのうちの１つおよび基地局／ｅＮＢのうちの１つであることができる。基地局１１０に、Ｔ本のアンテナ２３４ａないし２３４ｔが装備され得、およびＵＥ１２０は、Ｒ本のアンテナ２５２ａないし２５２ｒが装備され得、そこで、一般に、Ｔ≧１およびＲ≧１である。
【００２１】
[0030]基地局１１０において、送信プロセッサ２２０は、１つまたは複数のＵＥのためのデータソース２１２からデータを受信し、ＵＥから受信されたＣＱＩに基づいて各ＵＥのために１つまたは複数の変調およびコーディング方式（ＭＣＳ）を選択し、ＵＥのために選択されたＭＣＳ（複数を含む）に基づいて各ＵＥのためのデータを処理（例えば、符号化および変調）し、およびすべてのＵＥのためにデータシンボルを提供しうる。送信プロセッサ２２０はまた、（例えば、ＳＲＰＩ、等に関する）システム情報および制御情報（例えば、ＣＱＩ要求、許可、上位レイヤシグナリング、等）を処理し、およびオーバヘッドシンボルならびに制御シンボルを提供しうる。プロセッサ２２０はまた、同期信号（例えば、ＰＳＳおよびＳＳＳ）および基準信号（例えば、ＣＲＳ）のための基準シンボルを生成しうる。送信（ＴＸ）マルチプル入力マルチプル出力（ＭＩＭＯ）プロセッサ２３０は、適用可能であれば、基準シンボル、オーバヘッドシンボル、制御シンボル、および／またはデータシンボル上に空間処理（例えば、プリコーディング）を行い得、およびＴ個の変調器（ＭＯＤ）２３２ａないし２３２ｔにＴ個の出力シンボルストリームを提供しうる。各変調器２３２は、出力サンプルストリームを取得するために、（例えば、ＯＦＤＭ、等のために）それぞれの出力シンボルストリームを処理しうる。各変調器２３２は、ダウンリンク信号を取得するために、出力サンプルストリームをさらに処理（例えば、アナログに変換、増幅、フィルタリング、およびアップコンバート（upconvert））しうる。変調器２３２ａないし２３２ｔからのＴ個のダウンリンク信号は、Ｔ本のアンテナ２３４ａないし２３４ｔを介してそれぞれ送信されうる。
【００２２】
[0031]ＵＥ１２０において、アンテナ２５２ａないし２５２ｒは、基地局１１０および／または他の基地局からダウンリンク信号を受信し得、および復調器（ＤＥＭＯＤｓ）２５４ａないし２５４ｒに、受信された信号をそれぞれ提供しうる。各復調器２５４は、入力サンプルを取得するために、その受信された信号を調整（condition）（例えば、フィルタリング、増幅、ダウンコンバート（downconvert）、およびデジタル化）しうる。各復調器２５４は、受信されたシンボルを取得するために、（例えば、ＯＦＤＭ等のための）入力サンプルをさらに処理しうる。ＭＩＭＯ検出器２５６は、すべてのＲ個の復調器２５４ａないし２５４ｒから受信されたシンボルを取得し、適用可能であれば、受信されたシンボル上にＭＩＭＯ検出を行い、および検出されたシンボルを提供しうる。受信プロセッサ２５８は、検出されたシンボルを処理（例えば、復調および復号）し、データシンク２６０にＵＥ１２０のための復号されたデータを提供し、およびコントローラ／プロセッサ２８０に復号された制御情報およびシステム情報を提供しうる。チャネルプロセッサは、ＲＳＲＰ、ＲＳＳＩ、ＲＳＲＱ、ＣＱＩ、等を決定しうる。
【００２３】
[0032]アップリンク上で、ＵＥ１２０において、送信プロセッサ２６４は、データソース２６２からのデータ、およびコントローラ／プロセッサ２８０からの（例えば、ＲＳＲＰ、ＲＳＳＩ、ＲＳＲＱ、ＣＱＩ、等を備える報告に関しての）制御情報を受信し、および処理しうる。プロセッサ２６４はまた、１つまたは複数の基準信号のための基準シンボルを生成しうる。送信プロセッサ２６４からのシンボルは、適用可能であれば、ＴＸ ＭＩＭＯプロセッサ２６６によってプリコーディングされ、（例えば、ＳＣ−ＦＤＭ、ＯＦＤＭ、等のための）変調器２５４ａないし２５４ｒによってさらに処理され、および基地局１１０に送信されうる。基地局１１０において、ＵＥ１２０および他のＵＥからのアップリンク信号は、ＵＥ１２０によって送られた復号されたデータおよび制御情報を取得するために、アンテナ２３４によって受信され、復調器２３２によって処理され、適用可能であれば、ＭＩＭＯ検出器２３６によって検出され、および受信プロセッサ２３８によってさらに処理されうる。プロセッサ２３８は、データシンク２３９に復号されたデータを、およびコントローラ／プロセッサ２４０に復号された制御情報を提供しうる。基地局１１０は、通信ユニット２４４を含み、および通信ユニット２４４を介してネットワークコントローラ１３０に通信しうる。ネットワークコントローラ１３０は、通信ユニット２９４、コントローラ／プロセッサ２９０、およびメモリ２９２を含みうる。
【００２４】
[0033]コントローラ／プロセッサ２４０および２８０は、ＵＥ（例えば、ｅＭＴＣ ＵＥ）および基地局（例えば、ｅノードＢ）との間の通信のために使用する進歩したマシン型通信（ｅＭＴＣ）のための狭帯域領域を定義するための、本明細書において提示される技法を行うために、基地局１１０およびＵＥ１２０におけるオペレーションをそれぞれ指示（direct）しうる。例えば、基地局１１０におけるコントローラ／プロセッサ２４０、および／または、他のコントローラ、プロセッサおよびモジュール、ならびにＵＥ１２０におけるコントローラ／プロセッサ２８０、および／または、他のコントローラ、プロセッサおよびモジュールは、基地局１１０およびＵＥ１２０のオペレーションをそれぞれ行う、または指示しうる。例えば、基地局１１０におけるコントローラ／プロセッサ２４０、および／または、他のコントローラ、プロセッサおよびモジュールは、図６において示されるオペレーション６００を行う、または指示しうる。例えば、ＵＥ１２０におけるコントローラ／プロセッサ２８０、および／または、他のコントローラ、プロセッサおよびモジュールは、図６において示されるオペレーション６００を行う、または指示しうる。メモリ２４２および２８２は、基地局１１０およびＵＥ１２０のためのプログラムコードおよびデータをそれぞれ記憶しうる。スケジューラ２４６は、ダウンリンクおよび／またはアップリンク上のデータ送信のためにＵＥをスケジューリングしうる。
【００２５】
[0034]図３は、ＬＴＥにおけるＦＤＤのための例示的なフレーム構造３００を示す。ダウンリンクおよびアップリンクの各々のための送信タイムラインは、無線フレームのユニット（units）に区分されうる。各無線フレームは、所定の持続時間（例えば、１０ミリ秒（ｍｓ））を有し得、および０ないし９のインデックスをもつ１０サブフレームに区分されうる。各サブフレームは、２つのスロットを含みうる。各無線フレームは、それゆえに、０ないし１９のインデックスをもつ２０個のスロットを含みうる。各スロットは、Ｌ個のシンボル期間、例えば、（図３に示されるような）標準のサイクリックプレフィックスに関して７つのシンボル期間、または拡張されたサイクリックプレフィックスに関して６つのシンボル期間を含みうる。各サブフレームにおける２Ｌ個のシンボル期間は、０ないし２Ｌ−１のインデックスを割り当てられうる。
【００２６】
[0035]ＬＴＥにおいて、ｅＮＢは、ｅＮＢによってサポートされる各セルに関してシステム帯域幅のセンターにおけるダウンリンク上で一次同期信号（ＰＳＳ）および二次同期信号（ＳＳＳ）を送信しうる。ＰＳＳおよびＳＳＳは、図３で示されるように、標準のサイクリックプレフィックスをもつ各無線フレームのサブフレーム０および５において、それぞれ、シンボル期間６および５で送信されうる。ＰＳＳおよびＳＳＳは、セルの探索および捕捉（acquisition）のためにＵＥによって使用されうる。ｅＮＢは、ｅＮＢによってサポートされる各セルに関して、システム帯域幅にわたってセル固有基準信号（ＣＲＳ）を送信しうる。ＣＲＳは、各サブフレームのあるシンボル期間において送信され得、およびチャネル推定、チャネル品質測定、および／または他の機能を行うためにＵＥによって使用されうる。ｅＮＢはまた、ある無線フレームのスロット１でのシンボル期間０から３における物理ブロードキャストチャネル（ＰＢＣＨ：Physical Broadcast Channel）を送信しうる。ＰＢＣＨは、いくつかのシステム情報を搬送しうる。ｅＮＢは、あるサブフレームにおける物理ダウンリンク共有チャネル（ＰＤＳＣＨ）上でシステム情報ブロック（ＳＩＢｓ）のような他のシステム情報を送信しうる。ｅＮＢは、サブフレームの最初のＢ個のシンボル期間における物理ダウンリンク制御チャネル（ＰＤＣＣＨ）上で制御情報／データを送信し得、そこで、Ｂ個は各サブフレームに関して設定可能であることができる。ｅＮＢは、各サブフレームの残存シンボル期間（remaining symbol periods）におけるＰＤＳＣＨ上でトラフィックデータおよび／または他のデータを送信しうる。
【００２７】
[0036]図４は、標準のサイクリックプレフィックスをもつ２つの例示的なサブフレームフォーマット４１０および４２０を示す。利用可能な時間周波数リソースは、リソースブロックに区分されうる。各リソースブロックは、１つのスロットにおいて１２個のサブキャリアをカバーし得、および多数のリソース要素を含みうる。各リソース要素は、１つのシンボル期間において１つのサブキャリアをカバーし得、および１つの変調シンボルを送るために使用され得、それは、実数値または複素数値であることができる。
【００２８】
[0037]サブフレームフォーマット４１０は、２本のアンテナに関して使用されうる。ＣＲＳは、シンボル期間０、４、７、および１１においてアンテナ０および１から送信されうる。基準信号は、送信機および受信機によって演繹的に知られている（known a priori）信号であり、およびパイロットとも称されうる。ＣＲＳは、例えば、セルアイデンティティ（identity）（ＩＤ）に基づいて生成される、セルに関して固有の基準信号である。図４において、ラベルＲａをもつ所与のリソース要素に関して、変調シンボルは、そのリソース要素上でアンテナａから送信され得、およびいずれの変調シンボルも、他のアンテナからそのリソース要素上で送信され得ない。サブフレームフォーマット４２０は、４本のアンテナで使用されうる。ＣＲＳは、シンボル期間０、４、７、および１１においてアンテナ０および１から、およびシンボル期間１および８においてアンテナ２および３から送信されうる。サブフレームフォーマット４１０および４２０の両方に関して、ＣＲＳは、均等に間隔が空けられたサブキャリア上で送信され得、それは、セルＩＤに基づいて決定されうる。ＣＲＳは、それらのセルＩＤに依存して、同じまたは異なるサブキャリア上で送信されうる。サブフレームフォーマット４１０および４２０の両方に関して、ＣＲＳのために使用されないリソース要素は、データ（例えば、トラフィックデータ、制御データ、および／または他のデータ）を送信するために使用されうる。
【００２９】
[0038]ＬＴＥにおけるＰＳＳ、ＳＳＳ、ＣＲＳ、およびＰＢＣＨは、「Evolved Universal Terrestrial Radio Access (E-UTRA); Physical Channels and Modulation」と題する、３ＧＰＰ ＴＳ３６．２１１において記述されており、それは、公的に入手可能である。
【００３０】
[0039]インタレース（interlace）構造は、ＬＴＥにおけるＦＤＤのためのアップリンクおよびダウンリンクの各々に関して使用されうる。例えば、０ないしＱ−１のインデックスをもつＱ個のインタレースが定義され得、そこで、Ｑは４、６、８、１０、または何らかの他の値に等しくなりうる。各インタレースは、Ｑ個のフレームによって離れて間隔があけられたサブフレームを含みうる。特に、インタレースｑは、サブフレームｑ、ｑ＋Ｑ、ｑ＋２Ｑ等を含み得、そこで、ｑ∈｛０，…，Ｑ−１｝である。
【００３１】
[0040]ワイヤレスネットワークは、ダウンリンクおよびアップリンク上でのデータ送信に関するハイブリッド自動再送要求（ＨＡＲＱ）をサポートしうる。ＨＡＲＱに関して、送信機（例えば、ｅＮＢ）は、パケットが受信機（例えば、ＵＥ）によって正確に復号されるか、または何らかの他の終了条件が直面されるまで、パケットの１つまたは複数の送信を送りうる。同期ＨＡＲＱに関して、パケットのすべての送信は、単一のインタレースのサブフレームにおいて送られうる。非同期ＨＡＲＱに関して、パケットの各送信は、いずれかのサブフレームにおいて送られうる。
【００３２】
[0041]ＵＥは、マルチプルなｅＮＢのカバレッジ内に位置しうる。これらｅＮＢのうちの１つは、ＵＥにサービスするために選択されうる。サービスするｅＮＢは、受信信号強度（received signal strength）、受信信号品質、経路損失（pathloss）、等のような様々な基準に基づいて選択されうる。受信信号品質は、信号対雑音および干渉比（ＳＩＮＲ：signal-to-noise-and-interference ratio）、または基準信号受信品質（ＲＳＲＱ）、または何らかの他のメトリック（metrics）によって定量化されうる。ＵＥは、ＵＥが１つまたは複数の干渉するｅＮＢからの高い干渉を観測しうる支配的な干渉シナリオにおいて動作しうる。
狭帯域ＥＭＴＣ
[0042]上記で留意されたように、本明細書において提示される技法は、ＵＥ（例えば、ｅＭＴＣ ＵＥ）が、ｅＭＴＣで使用するためのホッピングパターンおよび狭帯域を決定するのを支援するために使用されうる。
【００３３】
[0043]（例えば、レガシー「非ＭＴＣ（non MTC）」デバイス）に関する）従来のＬＴＥ設計の焦点は、スペクトル効率、ユビキタス（ubiquitous）カバレッジの改善、および進歩したサービスの品質（Ｑｏｓ）サポートにある。現在のＬＴＥシステムのダウンリンク（ＤＬ）およびアップリンク（ＵＬ）のリンクバジェット（budgets）は、最先端（state-of-the-art）のスマートフォンおよびタブレットのような、ハイエンドデバイスのカバレッジのために設計されており、それは、比較的大きいＤＬおよびＵＬリンクバジェットをサポートしうる。
【００３４】
[0044]しかしながら、低コスト、低レートのデバイスもまた、サポートされる必要がある。例えば、ある規格（例えば、ＬＴＥリリース１２）は、低コスト設計またはマシン型通信を一般に対象とした（カテゴリ０ ＵＥと称される）新しいタイプのＵＥを導入してきた。マシン型通信（ＭＴＣ）に関して、限定された量の情報のみが交換される必要がありうるので、様々な要件は緩和されうる。例えば、レガシーＵＥに比べて、最大帯域幅が低減され得、単一の受信無線周波数（ＲＦ）チェーンが使用され得、ピークレート（peak rate）が低減され得（例えば、トランスポートブロックサイズに関して最大１００ビット）、送信電力が低減され得、ランク１送信が使用され得、および半二重（half duplex）オペレーションが行われうる。
【００３５】
[0045]いくつかのケースでは、半二重オペレーションが行われる場合、ＭＴＣ ＵＥは、送信することから受信することへ（または受信することから送信することへ）遷移するために、緩和された切り替え時間を有しうる。例えば、切り替え時間は、通常のＵＥに関しての２０μｓから、ＭＴＣ ＵＥに関しての１ｍｓに緩和されうる。リリース１２ＭＴＣ ＵＥは、依然として、通常のＵＥと同じ手法においてダウンリンク（ＤＬ）制御チャネルをモニタし得、例えば、最初の数個のシンボルにおける広帯域制御チャネル（例えば、ＰＤＣＣＨ）のみならず、比較的狭帯域を占有するが、サブフレーム（例えば、ｅＰＤＣＣＨ）の長さに広がる（spanning）狭帯域制御チャネルをモニタする。
【００３６】
[0046]ある規格（例えば、ＬＴＥリリース１３）は、本明細書において進歩したＭＴＣ（またはｅＭＴＣ）と称される、様々な追加のＭＴＣ進歩のためのサポートを導入しうる。例えば、ｅＭＴＣは、ＭＴＣ ＵＥに最大１５ｄＢまでのカバレッジ進歩を提供しうる。
【００３７】
[0047]図５のサブフレーム構成５００において図示されるように、ｅＭＴＣ ＵＥは、より広いシステム帯域幅（例えば、１．４／３／５／１０／１５／２０ＭＨｚ）において動作しながら、狭帯域オペレーションをサポートすることができる。図５において図示される例で、在来のレガシー制御領域５１０は、最初の数個のシンボルのシステム帯域幅に広がり（span）得、一方で、狭帯域領域５３０は、システム帯域幅のより大きい領域５２０の一部分を占有する。いくつかのケースにおいては、狭帯域領域をモニタするＭＴＣ ＵＥは、１．４ＭＨｚまたは６つのリソースブロック（ＲＢ）において動作しうる。
【００３８】
[0048]上記で留意されたように、ｅＭＴＣ ＵＥは、６つのＲＢより大きい帯域幅をもつセルにおいて動作することが可能であることができる。このより大きい帯域幅内で、各ｅＭＴＣ ＵＥは、依然として、６つの物理リソースブロック（ＰＲＢ）の制約に従いながら動作しうる（例えば、モニタする／受信する／送信する）。いくつかのケースにおいては、異なるｅＭＴＣ ＵＥは、システム帯域幅内で、（例えば、各々が６つのＰＲＢブロックに広がっている）異なる狭帯域領域によってサービスされうる。システム帯域幅が１．４から２０ＭＨｚに、または６から１００個のＲＢに、広がりうるので、マルチプルな狭帯域領域は、より大きな帯域幅内に存在しうる。ｅＭＴＣ ＵＥはまた、干渉を低減するために、マルチプルな狭帯域領域間でホッピングするまたは切り替わりうる。
【００３９】
[0049]ＤＬおよびＵＬ狭帯域領域のサイズが定められる一方で、より大きい帯域幅内のｅＭＴＣ ＵＥのためのホッピングパターンおよび利用可能な狭帯域の位置は、固定されておらず、および定義を必要としうる。
【００４０】
[0050]帯域幅が限定されたリソースであるので、狭帯域領域は、可能な限り数少ない空のＲＢをもつ狭帯域領域に、すべてのまたはほとんどのＲＢがグループ分けされるように定められるべきである。あるシステムにおいて、所与の帯域幅内のＰＲＢの数は、６の倍数ではない。６つのＲＢの狭帯域領域は、１．４ＭＨｚにおいて動作し、一方で、システム帯域幅は、６、１５、２５、５０、７５、および１００個のＲＢに対応する、１．４、３、５、１０、１５および２０ＭＨｚであることができ、そのうちの１つのみが６の倍数である。例えば、５ＭＨｚの帯域幅セルは、１５個のＰＲＢが利用可能であり、それは、２．５個の狭帯域領域に等しい。それゆえに、多くのＬＴＥ帯域幅に関して、システム帯域幅は、狭帯域領域に均等に分離されることができない。狭帯域領域にグループ分けされていないＲＢの数を最小にするように、狭帯域領域を定めることは、有利であることができる。
ＥＭＴＣのための狭帯域定義
[0051]図６は、本開示のある態様にしたがった、ワイヤレスデバイスによるワイヤレス通信のための例となるオペレーション６００を図示するフロー図である。ワイヤレスデバイスは、例えば、狭帯域領域にわたってＵＥと通信するためのｅＮＢ、または狭帯域領域にわたってｅＮＢと通信するためのＵＥであることができる。オペレーションは、システム帯域幅における利用可能なリソースの量に基づいて、より広いシステム帯域幅内の１つまたは複数の狭帯域領域を識別することによって、６０２において、始まりうる。６０４において、オペレーションは、識別された狭帯域領域のうちの少なくとも１つを使用して通信することを含む。
【００４１】
[0052]図７は、本開示のある態様にしたがった、ｅＭＴＣオペレーションのための例示的なリソースブロック構成７００を図示する。あるシステムにおいて、センター６つのＲＢは、ＰＳＳ／ＳＳＳおよび／またはページングのために使用されうる。奇数の数のＲＢ（例えば、１．４ＭＨｚ、３ＭＨｚ、５ＭＨｚ、等）をもつ帯域幅に関して、センター６つのＲＢは、物理リソースブロックと整列でないことがある。例えば、図６において示されるように、３ＭＨｚの帯域幅に関するセンター６つのＲＢ７０２は、リソースブロック５−９およびリソースブロック４の半分およびリソースブロック１０の半分である。狭帯域領域がセンター６つのＲＢにおいて定められるところで、同期の目的のために狭帯域領域に同調された（tuned to）ｅＭＴＣは、ページングの送信を受信するために再び同調する（retune）必要がなく、その結果として、エネルギーの節約を潜在的にもたらす。
【００４２】
[0053]図８Ａは、本開示のある態様にしたがった、例となる狭帯域領域定義８００Ａを図示する。ある態様にしたがって、狭帯域領域８０２Ａは、センター６つのＲＢに基づいて定められうる。利用可能なＲＢの数が偶数ではない、およびセンター６つのＲＢが広帯域ＲＢの境界と整列されていないところで、狭帯域領域８０２Ａもまた、広帯域ＲＢの境界と整列でないことがある。例えば、狭帯域（ＮＢ）領域８０２Ａは、ＲＢ４．５からＲＢ１０．５に伸びているように定められうる。代わりに、センター６つのＲＢ領域は、７つのＲＢに１つのＲＢ分、繰り上げられうる。広帯域およびｅＭＴＣデバイスは、ページングのためのセンター６つのＲＢのみ、しかしまた、領域を．５ＲＢ分、センター６つのＲＢより上におよびより下に伸ばすことによって、例えば、ＲＢ４からＲＢ１１に伸ばすことによって、モニタし続けうる。これは、ＮＢ領域８０２Ａが広帯域ＲＢの境界と整列されることを可能にする。その後、全体の広帯域の帯域幅が複数の狭帯域に分割されるまで、広帯域の端（edges）から６つのＲＢのグループが、狭帯域領域、このケースでは、ＮＢ領域８０４ＡおよびＮＢ領域８０６Ａ、として定義されうる。合計の広帯域の帯域幅が、６つのＲＢ領域に均等に分割可能でないところで、狭帯域領域間でオーバーラップが起こることとなる。ここでは、例えば、ＮＢ領域８０４ＡおよびＮＢ領域８０６Ａは、両方がＮＢ領域８０２Ａとオーバーラップするであろう。これは、結果的に、６によって分割されるリソースブロックの数のシーリング（ceiling）に等しい狭帯域領域の合計数、すなわちceil(nRB/6)をもたらす。
【００４３】
[0054]あるケースにおいては、オーバーラップしない狭帯域領域を有することが望ましいことがある。上記で留意されたように、ＲＢの合計数が６の倍数ではないところで、ＲＢの合計数を、各広帯域ＲＢが使用されるような固定のサイズである狭帯域領域に分割することは可能でない。しかしながら、６つのＲＢの狭帯域領域と連結して（in conjunction with）より小さい狭帯域領域を使用することは、各広帯域ＲＢが使用されることを可能にするであろう。例えば、センター６つのＲＢが広帯域ＲＢの境界と整列するために７に繰り上げられてきたところで、狭帯域領域は、各端から内側にある６つのＲＢのグループにおいて選択されうる。
【００４４】
[0055]図８Ｂは、本開示のある態様にしたがった、例となる狭帯域領域定義８００Ｂを図示する。図８Ｂにおいて図示されるように、ＮＢ領域８０２Ｂにオーバーラップするのではなく、ＮＢ領域８０２Ｂに直接隣接する狭帯域領域は、サイズにおいて低減される。ここで図示されるように、ＮＢ領域８０４ＢおよびＮＢ領域８０６Ｂは、６つのＲＢではなく、４つのＲＢである。そのような配置は、ＮＢ領域８０２Ｂの隣に、より小さい狭帯域領域を置くであろう。代わりに、ＮＢ領域は、ＮＢ領域８０２Ｂから外側にある、６つのＲＢのグループにおいて選択されうる。そのような配置は、より小さい狭帯域領域を広帯域の帯域幅の端に置くであろう。図８Ｃにおいて見られるように、センター６つのＲＢが繰り上げられていないところの、例となる狭帯域領域定義８００Ｃにおいて、ＮＢ領域８０２Ｃの両側にある（to either side）ＲＢの半分は、狭帯域領域に対して割り当てられないで残されうる８０４Ｃ。これは、例えば、奇数の数のＲＢをもつ広帯域の帯域幅のみに適用される。
【００４５】
[0056]あるシステムにおいて、狭帯域マッピングは、アップリンクおよびダウンリンクに関して異なりうる。例えば、ダウンリンク上で、いくつかのシステムは、ＰＳＳ／ＳＳＳ／ＰＢＣＨおよび／またはページングのためにセンター６つのＲＢを使用する。しかしながら、そのような要件は決してアップリンク上では存在し得ない。簡潔さのために、ダウンリンク狭帯域領域は、センター６つのＲＢに基づいて、整列されうる。代わりに、アップリンク狭帯域領域はまた、ＰＵＣＣＨのために予約された広帯域の帯域幅の端に沿った「より小さい狭帯域領域」があるように定められうる。
【００４６】
[0057]図９Ａ−図９Ｃは、それぞれ、本開示のある態様にしたがった、例となる狭帯域領域定義９００Ａ−９００Ｃを図示する。あるケースにおいて、より小さい狭帯域領域は、６によって分割されるリソースブロックの合計数（例えば、mod(nRB, 6)）がより小さい狭帯域領域に関する帯域幅の端において割り振られるように定められうる。これらのＲＢは、より小さいＲＢの個々のサイズが、例えば、(mod(nRB, 6))/2に等しくなるように、複数の端の間で均等に割り振られうる。６つのＲＢの狭帯域領域は、その後、複数の端の間で割り振られうる。例えば、図９Ａにおける１５個のＲＢの広帯域の帯域幅、３ＭＨｚに関して、mod(15,6)は３つのＲＢをもたらし、それは、広帯域の帯域幅の端に沿った２つの１．５個のＲＢの狭帯域領域であるＮＢ領域９０２ＡおよびＮＢ領域９０４Ａに分離される。その後、複数の端の間の残存のＲＢは、ＮＢ領域９０６ＡおよびＮＢ領域９０８Ａにおいて示されるように、６つのＲＢの狭帯域領域に均等に割り振られうる。しかしながら、複数の端に沿ったＲＢを狭帯域領域に均等に分割することは、ＲＢ７におけるＮＢ領域９０８ＡおよびＮＢ領域９０６Ａのような、広帯域ＲＢと整列でないことがある狭帯域領域と同様に、ＮＢ領域９０２ＡおよびＮＢ領域９０４Ａにおけるような、断片的なＲＢ割り振りを結果的にもたらしうる。
【００４７】
[0058]センター６つのＲＢの整列が維持されていないところで、狭帯域領域へのＲＢ分配は、非対称的であることができる。非対称的な分配は、狭帯域領域が、奇数の数の広帯域ＲＢがあるところの広帯域ＲＢと整列されることを可能にしうる。例えば、図８Ｂにおいて図示されるように、(mod(nRB, 6))/2によって決定されるように、より小さいＲＢの個々のサイズが結果的に非整数をもたらすところで、より小さい狭帯域領域のうちの一方は、ここで１つのＲＢに、繰り下げられ（ＮＢ領域９０２Ｂ）、および他方のより小さい狭帯域領域は、ここで２つのＲＢに、繰り上げられうる（ＮＢ領域９０４Ｂ）。このラウンディング（rounding）は、狭帯域領域の複数の端が広帯域ＲＢの端と整列されることを可能にする。ＮＢ領域９０６ＢおよびＮＢ領域９０８Ｂのような、他の狭帯域領域もまた、広帯域ＲＢの複数の端と整列されるように調整されうる。
【００４８】
[0059]代わりに、一方のより小さい狭帯域領域のサイズを繰り上げおよび他方を繰り下げるのではなく、両方の、より小さい狭帯域領域のサイズが、繰り下げられることができる。例えば、図８Ｃにおいて図示されるように、ＮＢ領域９０２ＣおよびＮＢ領域９０４Ｃの両方は、各々、１つのＲＢに繰り下げられる。その後、複数の端の間の、追加の狭帯域領域、例えば、ＮＢ領域９０６ＣおよびＮＢ領域９０８Ｃが定められうる。その後、センターＲＢにおける残存のＲＢは、より小さい狭帯域領域が広帯域の帯域幅のセンターおよび端の両方において定められるように、追加のより小さい狭帯域領域ＮＢ領域９１０Ｃとして定められうる。
ＥＭＴＣのための狭帯域の周波数ホッピング
[0060]ＬＴＥは、送信のダイバーシティ（diversity）を改善するために、特定のパターンでの周波数間のホッピングを含む。このホッピングパターンは、スケジューリング許可（scheduling grant）において明快に、ｅＭＴＣデバイスにシグナリングされうる。ｅＭＴＣデバイスに関して、明快なシグナリングによって提供されるフレキシビリティ（flexibility）は、シグナリングをモニタするための追加の電力使用量によって上回られる（outweighed by）ことになりうる。ある態様にしたがって、シグナリングは、通信のために使用される初めの狭帯域領域にホッピングパターンを基づかせることによって簡単化されうる。このホッピングは、狭帯域領域のペア内で行われることができる、または固定のパターンに基づくことができる。
【００４９】
[0061]例として、０から８までの番号を付けられた９つの狭帯域領域をもつ１０ＭＨｚの帯域幅に関して、狭帯域ペアの４つのセットが定められうる。これらの狭帯域のペアは、例えば、｛０，５｝、｛１，６｝、｛２，７｝、および｛３，８｝であることができる。ホッピング行為は、ホッピングが狭帯域ペアの１つのメンバから狭帯域ペアの他のメンバへ行われることができるように定められうる。特定のホッピング行為は、そうとすると（then）、通信のために初めに識別された狭帯域領域に基づく。すなわち、特定のワイヤレスデバイスが、それが通信のために初めに狭帯域領域０を使用すべきとする指示を受信するところで、ワイヤレスデバイスは、いずれかの他の追加のシグナリングなしに、次の通信のために狭帯域領域５へ次にホッピングするべきことを知る（know to）であろう。この初めの指示は、ＳＩＢ、ＭＩＢ、または他のタイプのシグナリングから導出されることができる。追加的に、ホッピングは、レシプロカル（reciprocal）のホッピングではなく、パターンに基づいて（based off）行われることができる。そのような実装において、０から５への５つの狭帯域領域の初めの前進ホッピング（hop forward）は、例えば、５から１への、４つの狭帯域領域の後退ホッピング（hop back）によって後続されることができる。いずれかのケースにおいて、例えば、所与のバンドル（bundle）のサイズに関する、ホッピングパターンは、初めに識別された狭帯域領域に基づいて、前もって決定され（例えば、仕様書（specification）またはＳＩＢ１／他のシグナリングによって固定される）、ダウンリンクまたはアップリンク許可における特定のパターンをシグナリングする必要はない。追加的に、特定のパターンおよびペアは、システム帯域幅（例えば、３、５、１０、１５、および２０ＭＨｚ）の各々に関して定められうる。
【００５０】
[0062]あるシステムにおいて、周波数ホッピングのパターンは、例えば、ダウンリンクのために使用される初めに識別された狭帯域領域が、アップリンクのための狭帯域領域のホッピングに関連付けられるようにさらに定義され得、逆もまた同様である（vice versa）。例えば、再び１０ＭＨｚの帯域幅に関して、特定のワイヤレスデバイスが、それがダウンリンクのために最初に狭帯域領域０を使用すべきとする指示を受信するところで、ワイヤレスデバイスは、応答を送るために、関連付けられたアップリンク狭帯域領域５に次にホッピングするべきことを知るであろう。同じく、特定の狭帯域領域上でＤＬ許可を受信することは、ダウンリンク送信を受信するために、関連付けられたダウンリンク狭帯域領域にホッピングするようにワイヤレスデバイスに指示しうる。同様に、特定の狭帯域領域上のＵＬ許可は、送信するために、関連付けられたアップリンク狭帯域領域にホッピングするようにワイヤレスデバイスに指示しうる。同様に、特定の狭帯域領域上のランダムアクセスアップリンク送信は、ランダムアクセス応答を受信するために関連付けられたダウンリンク狭帯域領域にホッピングするようにワイヤレスデバイスに指示しうる。
【００５１】
[0063]本明細書において使用されるように、項目のリスト「のうちの少なくとも１つ」を指すフレーズは、単一のメンバを含む、それらの項目のいずれかの組み合わせを指す。例として、「ａ、ｂ、またはｃのうちの少なくとも１つ」は、ａ、ｂ、ｃ、ａ−ｂ、ａ−ｃ、ｂ−ｃ、およびａ−ｂ−ｃのみならず、同じ要素のマルチプルとのいずれかの組み合わせ（例えば、ａ−ａ、ａ−ａ−ａ、ａ−ａ−ｂ、ａ−ａ−ｃ、ａ−ｂ−ｂ、ａ−ｃ−ｃ、ｂ−ｂ、ｂ−ｂ−ｂ、ｂ−ｂ−ｃ、ｃ−ｃ、およびｃ−ｃ−ｃ、またはａ、ｂ、およびｃのいずれかの他の順序）をカバーするように意図される。
【００５２】
[0064]本明細書において使用されるように、用語「識別すること」は、多種多様なアクションを包含する。例えば、「識別すること」は、算出すること、計算すること、処理すること、導出すること、調査すること（investigating）、ルックアップすること（例えば、表、データベースまたは別のデータ構造中をルックアップすること）、確定すること等を含みうる。また、「識別すること」は、受信すること（例えば、情報を受信すること）、アクセスすること（例えば、メモリにおけるデータにアクセスすること）等を含みうる。また、「識別すること」は、解決すること、選択すること、選ぶこと、確立すること等を含みうる。
【００５３】
[0065]いくつかのケースでは、フレームを実際に通信するよりむしろ、デバイスは、送信または受信のためのフレームを通信するためのインタフェースを有しうる。例えば、プロセッサは、送信のためのＲＦフロントエンド（front end）に、バスインタフェースを介して、フレームを出力しうる。同様に、フレームを実際に受信するよりむしろ、デバイスは、別のデバイスから受信されるフレームを取得するためのインタフェースを有しうる。例えば、プロセッサは、送信のためのＲＦフロントエンドから、バスインタフェースを介して、フレームを取得（または受信）しうる。
【００５４】
[0066]本明細書において開示される方法は、記述される方法を成し遂げるための１つまたは複数のステップまたはアクションを備える。方法のステップおよび／またはアクションは、特許請求の範囲から逸脱することなく互いに置き換えられうる。言い換えると、ステップまたはアクションの特定の順序が特定されない限り、特定のステップおよび／またはアクションの順序および／または使用は、特許請求の範囲から逸脱することなく変更されうる。
【００５５】
[0067]上記で記述される方法の様々なオペレーションは、対応する機能を行うことができるいずれかの適切な手段によって行われうる。手段は、回路、特定用途向け集積回路（ＡＳＩＣ）、またはプロセッサに限定されないが、それらを含む、様々なハードウェアおよび／またはソフトウェアのコンポーネント（複数を含む）および／またはモジュール（複数を含む）を含みうる。ソフトウェアは、ソフトウェア、ファームウェア、ミドルウェア、コード、マイクロコード、ハードウェア記述言語、マシン言語、またはその他の方法で呼ばれるかにかかわらず、命令、データ、コード、またはそれらのいずれかの組み合わせを意味するように広範囲に解釈されるものとする。一般に、図において図示されるオペレーションがあるところで、それらのオペレーションは、対応するカウンターパート（counterpart）のミーンズプラスファンクションコンポーネント（means-plus-function components）を有しうる。
【００５６】
[0068]上記で記述される方法の様々なオペレーションは、対応する機能を行うことができるいずれかの適切な手段によって行われうる。手段は、回路、特定用途向け集積回路（ＡＳＩＣ）、またはプロセッサに限定されないが、それらを含む、様々なハードウェアおよび／またはソフトウェアのコンポーネント（複数を含む）および／またはモジュール（複数を含む）を含みうる。一般に、図において図示されるオペレーションがあるところで、それらのオペレーションは、いずれかの適切な対応するミーンズプラスファンクションコンポーネントによって行われることができる。
【００５７】
[0069]例えば、識別するための手段および／または通信するための手段は、図２において図示される基地局１１０の送信プロセッサ２２０、コントローラ／プロセッサ２４０、受信プロセッサ２３８、および／またはアンテナ（複数を含む）２３４あるいは図２において図示されるユーザ機器１２０の送信プロセッサ２６４、コントローラ／プロセッサ２８０、受信プロセッサ２５８、および／またはアンテナ（複数を含む）２５２のような、１つまたは複数のプロセッサまたは他の要素を含みうる。
【００５８】
[0070]情報および信号が、多様な異なる技術および技法のいずれかを使用して表されうることを当業者は理解するであろう。例えば、上記の記述の全体を通じて参照されうるデータ、命令、コマンド、情報、信号、ビット、シンボル、およびチップは、電圧、電流、電磁波、磁場または磁性粒子、光場または光粒子、またはこれらの組み合わせによって表されうる。
【００５９】
[0071]本明細書における開示に関して記述される様々な図示する論理ブロック、モジュール、回路、およびアルゴリズムステップは、ハードウェア、ソフトウェア、またはそれらの組み合わせとして実装されうることを、当業者はさらに認識するであろう。ハードウェアおよびソフトウェアのこの互換性を明確に例示するために、様々な図示するコンポーネント、ブロック、モジュール、回路、およびステップが、それらの機能性の観点から上記で一般に、記述されてきた。そのような機能が、ハードウェアとして実装されるか、またはソフトウェアとして実装されるかは、特定のアプリケーションおよび全体のシステムに課せられる設計制約に依存する。当業者は、記述される機能を各特定のアプリケーションに関して様々な手法で実装しうるが、そのような実装の判定は、本開示の範囲からの逸脱を引き起こしていると解釈されるべきではない。
【００６０】
[0072]本明細書における開示に関して記述される様々な図示する回路、モジュール、および論理ブロックは、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブルロジックデバイス、離散ゲートまたはトランジスタロジック、離散ハードウェアコンポーネント、または本明細書において記述される機能を行うように設計されたそれらのいずれかの組み合わせで実装または行われうる。汎用プロセッサは、マイクロプロセッサであることができるが、代替では、プロセッサは、いずれかの在来のプロセッサ、コントローラ、マイクロコントローラ、またはステートマシンであることができる。プロセッサはまた、コンピューティングデバイスの組み合わせ、例えば、ＤＳＰおよびマイクロプロセッサ、複数のマイクロプロセッサ、ＤＳＰコアと連結した１つまたは複数のマイクロプロセッサ、またはいずれかの他のそのような構成の組み合わせ、として実装されうる。
【００６１】
[0073]本明細書における開示に関して記述されるアルゴリズムまたは方法のステップは、ハードウェアプロセッサによって実行されるソフトウェア／ファームウェアモジュール、またはそれらの組み合わせにおいて、直接的に具現化されうる。ソフトウェアモジュールは、ＲＡＭメモリ、フラッシュメモリ、ＲＯＭメモリ、ＥＰＲＯＭメモリ、ＥＥＰＲＯＭ（登録商標）メモリ、位相変更メモリ、レジスタ、ハードディスク、リムーバブルディスク、ＣＤ−ＲＯＭ、または当技術分野で知られているいずれかの他の形式の記憶媒体において存在しうる。例示的な記憶媒体は、プロセッサが記憶媒体から情報を読み取り、および記憶媒体に情報を書き込みできるようにプロセッサに結合される。代替では、記憶媒体は、プロセッサと一体であることができる。プロセッサおよび記憶媒体は、ＡＳＩＣにおいて存在しうる。ＡＳＩＣは、ユーザ端末において存在しうる。代替では、プロセッサおよび記憶媒体は、ユーザ端末において離散コンポーネントとして存在しうる。
【００６２】
[0074]１つまたは複数の例示的な設計において、記述された機能は、ハードウェア、ソフトウェア、またはそれらの組み合わせで実装されうる。ソフトウェアにおいて実装される場合、機能は、コンピュータ可読媒体上で１または複数の命令またはコードとして送信されうる、または記憶されうる。コンピュータ可読媒体は、１つの場所から別の場所へのコンピュータプログラムの転送を容易にするいずれかの媒体を含む通信媒体およびコンピュータ記憶媒体の両方を含む。記憶媒体は、汎用または特殊目的コンピュータによってアクセスされることができるいずれかの利用可能な媒体であることができる。限定ではなく例として、そのようなコンピュータ可読媒体は、ＲＡＭ、ＲＯＭ、ＥＥＰＲＯＭ、ＣＤ／ＤＶＤまたは他の光学ディスク記憶装置、磁気ディスク記憶装置または他の磁気記憶デバイス、あるいは、汎用または専用コンピュータ、あるいは、汎用または専用プロセッサによってアクセスされることができ、および命令またはデータ構造の形式で望まれるプログラムコード手段を搬送または記憶するために使用されることができるいずれかの他の媒体を備えうる。また、いずれの接続手段もコンピュータ可読媒体と適切に名付けられうる。例えば、ソフトウェアが、同軸ケーブル、光ファイバーケーブル、ツイストペア（twisted pair）、デジタル加入者回線（ＤＳＬ）、または赤外線、無線、およびマイクロ波などのワイヤレス技術を使用して、ウェブサイト、サーバ、またはその他の遠隔ソースから送信される場合には、同軸ケーブル、光ファイバーケーブル、ツイストペア、ＤＳＬ、または赤外線、無線、およびマイクロ波などのワイヤレス技術は、媒体の定義に含まれる。ディスク（disk）およびディスク（disc）は、本明細書において使用されるように、コンパクトディスク（ＣＤ）（compact disc）、レーザーディスク（登録商標）（laser disc）、光ディスク（optical disc）、デジタル多用途ディスク（ＤＶＤ）（digital versatile disc）、フロッピー（登録商標）ディスク（floppy disk）、およびＢｌｕ−ｒａｙ（登録商標）ディスク（Blu-ray（登録商標） disc）を含み、そこで、ディスク（disk）は大抵、磁気的にデータを再生し、その一方で、ディスク（disc）は、レーザーを用いて光学的にデータを再生する。上記の組み合わせはまた、コンピュータ可読媒体の範囲内に含まれるべきである。
【００６３】
[0075]本開示の先の記述は、いずれの当業者でも、本開示の製造することまたは使用することができるように提供される。本開示への様々な変更は、当業者には容易に明らかとなり、および本明細書において定められる一般的な（generic）原理は、本開示の趣旨または範囲から逸脱することなく他のバリエーションに適用されうる。本開示への様々な変更は、当業者には容易に明らかとなり、および本明細書において定められる一般的な原理は、本開示の趣旨または範囲から逸脱することなく他のバリエーションに適用されうる。それゆえに、本開示は、本明細書において記述される例および設計に限定されるように意図されておらず、本明細書において開示される原理および新規の特徴と一致する最も広い範囲が付与されるべきである。
【図１】
2018520551.tif 000003
【図２】
2018520551.tif 000004
【図３】
2018520551.tif 000005
【図４】
2018520551.tif 000006
【図５】
2018520551.tif 000007
【図６】
2018520551.tif 000008
【図７】
2018520551.tif 000009
【図８Ａ】
2018520551.tif 000010
【図８Ｂ】
2018520551.tif 000011
【図８Ｃ】
2018520551.tif 000012
【図９Ａ】
2018520551.tif 000013
【図９Ｂ】
2018520551.tif 000014
【図９Ｃ】
2018520551.tif 000015
【国際調査報告】
2018520551.tif 000016
2018520551.tif 000017
2018520551.tif 000018